(57)【要約】【課題】ベーパーバリアを有する低温タンクにおいて、ベーパーバリアの歪みを抑制する。【解決手段】コンクリート壁の内壁面に当接して設けられると共に複数のパネルが溶接されてなるベーパーバリアを備える低温タンクであって、前記パネルを溶接するときに前記コンクリート壁の内壁面に向けて押圧する押圧部品を備える。【選択図】図１
2015098903.tif 000002
【特許請求の範囲】
【請求項１】
コンクリート壁の内壁面に当接して設けられると共に複数のパネルが溶接されてなるベーパーバリアを備える低温タンクであって、
前記パネルを溶接するときに前記コンクリート壁の内壁面に向けて押圧する押圧部品を備えることを特徴とする低温タンク。
【請求項２】
前記押圧部品は、前記パネルを貫通して前記コンクリート壁に固定されるスタッドボルトに螺合されると共に、前記パネルの前記コンクリート壁と反対側の面に当接する当接面を有する平板形状とされていることを特徴とする請求項１記載の低温タンク。
【請求項３】
前記押圧部品は、前記スタッドボルトの軸方向から見て円を当該軸を中心として対向する平行線に沿って切り欠いた形状を有することを特徴とする請求項２記載の低温タンク。
【請求項４】
前記押圧部品は、前記スタッドボルトに対して溶接されていることを特徴とする請求項２または３記載の低温タンク。
【請求項５】
前記押圧部品は、前記パネルに対して溶接されていることを特徴とする請求項１〜４いずれか一項に記載の低温タンク。
【請求項６】
前記押圧部品は、前記パネルに対して接着剤により接合されていることを特徴とする請求項１〜４いずれか一項に記載の低温タンク。
【発明の詳細な説明】
【技術分野】
【０００１】
本発明は、低温タンクに関するものである。
【背景技術】
【０００２】
コンクリート壁を有する低温タンクでは、外部からの水分の透過を防止するために、コンクリート壁の内壁面に樹脂製よりも気密性の高い金属製のベーパーバリアを当接させるように設ける場合がある。このようなベーパーバリアは、複数のパネルを溶接することによって形成されている。
【先行技術文献】
【特許文献】
【０００３】
【特許文献１】特公昭６２−０３３４７７号公報
【特許文献２】特公平０４−０８０２８０号公報
【発明の概要】
【発明が解決しようとする課題】
【０００４】
しかしながら、ベーパーバリアは、厚さ数ｍｍ程度の非常に薄い部材である。このため、パネル同士を溶接したり、パネルを他の金物に対して溶接したりするとき等の入熱により歪みやすい。このようにしてベーパーバリアが歪むと、ベーパーバリアと内槽との間に配置されるパネル状の保冷材に対して液圧が加わった時に保冷パネルに曲げの力が加わり、保冷パネルの損傷に繋がる。
【０００５】
本発明は、上述する問題点に鑑みてなされたもので、ベーパーバリアを有する低温タンクにおいて、ベーパーバリアの歪みを抑制することを目的とする。
【課題を解決するための手段】
【０００６】
本発明は、上記課題を解決するための手段として、以下の構成を採用する。
【０００７】
第１の発明は、コンクリート壁の内壁面に当接して設けられると共に複数のパネルが溶接されてなるベーパーバリアを備える低温タンクであって、上記パネルを溶接するときに上記コンクリート壁の内壁面に向けて押圧する押圧部品を備えるという構成を採用する。
【０００８】
第２の発明は、上記第１の発明において、上記押圧部品が、上記パネルを貫通して上記コンクリート壁に固定されるスタッドボルトに螺合されると共に、上記パネルの上記コンクリート壁と反対側の面に当接する当接面を有する平板形状とされているという構成を採用する。
【０００９】
第３の発明は、上記第２の発明において、上記押圧部品が、上記スタッドボルトの軸方向から見て円を当該軸を中心として対向する平行線に沿って切り欠いた形状を有するという構成を採用する。
【００１０】
第４の発明は、上記第２または第３の発明において、上記押圧部品が、上記スタッドボルトに対して溶接されているという構成を採用する。
【００１１】
第５の発明は、上記第１〜第４いずれかの発明において、上記押圧部品が、上記パネルに対して溶接されているという構成を採用する。
【００１２】
第６の発明は、上記第１〜第４いずれかの発明において、上記押圧部品が、上記パネルに対して接着剤により接合されているという構成を採用する。
【発明の効果】
【００１３】
本発明によれば、ベーパーバリアを形成するパネルを溶接するときに、当該パネルが押圧部品によって押さえられている。このため、パネルの溶接入熱による変形を抑制することができる。したがって、本発明によれば、ベーパーバリアを有する低温タンクにおいて、ベーパーバリアの歪みを抑制することが可能となる。
【図面の簡単な説明】
【００１４】
【図１】本発明の一実施形態における低温タンクの断面斜視図である。
【図２】本発明の一実施形態における低温タンクが備える三面コーナメンブレンアンカー機構を含む三面コーナ部の断面図である。
【図３】本発明の一実施形態における低温タンクが備える三面コーナメンブレンアンカー機構の押圧部品を除き、かつ、保冷材層を省略して図示した斜視図である。
【図４】本発明の一実施形態における低温タンクが備える二面コーナメンブレンアンカー機構を含む二面コーナ部の断面図である。
【図５】本発明の一実施形態における低温タンクが備える押圧ナットを含む拡大亜斜視図である。
【図６】本発明の一実施形態における低温タンクが備えるベーパーバリアを形成する様子を示す模式図である。
【発明を実施するための形態】
【００１５】
以下、図面を参照して、本発明に係る低温タンクの一実施形態について説明する。なお、以下の図面において、各部材を認識可能な大きさとするために、各部材の縮尺を適宜変更している。
【００１６】
図１は、本実施形態の低温タンク１の断面斜視図である。低温タンク１は、容器本体２と、平面メンブレンアンカー機構３と、三面コーナメンブレンアンカー機構４と、二面コーナメンブレンアンカー機構５と、押圧ナット６（押圧部品）とを備えている。
【００１７】
容器本体２は、外槽を形成するコンクリート壁２ａと、内槽を形成するメンブレン２ｂと、コンクリート壁２ａの内壁面に貼付されるベーパーバリア２ｃ（図２参照）と、当該ベーパーバリア２ｃとメンブレン２ｂとの間に設置される保冷材層２ｄとを備えた角型の容器である。
【００１８】
コンクリート壁２ａは、容器本体２の外殻を形成するコンクリートからなる壁部であり、メンブレン２ｂ等を支える強度部材である。メンブレン２ｂは、内部に貯留される低温液体（例えば液化アルゴン）に直接触れる部位であり、保冷材層２ｄを介してコンクリート壁２ａの内壁面側に設置されている。このようなメンブレン２ｂには、縦横に格子状に延在し、メンブレン２ｂの熱変形を吸収するコルゲーション２ｂ１が設けられている。このようなメンブレン２ｂは、例えばステンレス鋼からなる厚さ数ｍｍの薄板状のメンブレンパネルが溶接されることで形成されている。
【００１９】
ここで容器本体２は、角型とされていることから、３面（例えば、２つの側壁面と底面、あるいは、２つの側壁面と天面）とが集まる箇所に形成されるコーナ部（以下、三面コーナ部２Ａ）と、２面（例えば、側壁面と底面、側壁面同士、あるいは、側壁面と天面）とが集まる箇所に形成されるコーナ部（以下、二面コーナ部２Ｂ）とを有している。これらのコーナ部に配置されるメンブレンパネルは、コーナ部の形状に応じて湾曲されている。以下、コーナ部以外の領域に配置される平面上のメンブレンパネルを平面メンブレンパネルＭ１と称し、三面コーナ部２Ａに配置されるメンブレンパネルを三面コーナメンブレンパネルＭ２（コーナメンブレンパネル）と称し、二面コーナ部２Ｂに配置されるメンブレンパネルを二面コーナメンブレンパネルＭ３と称する。
【００２０】
ベーパーバリア２ｃは、コンクリート壁２ａの内壁面の全域に当接して設けられる金属製の薄板部材である。このようなベーパーバリア２ｃは、コンクリート壁２ａを透過しようとする水分等を遮蔽し、容器本体２の気密性を向上させる。このようなベーパーバリア２ｃは、複数の矩形状のパネルＰ（図６参照）同士が溶接されることによって形成されている。また、パネルＰ同士を溶接せず、コンクリート壁２ａに固定された金物に溶接することでベーパーバリア２ｃを形成する場合もある。
【００２１】
保冷材層２ｄは、例えばＰＵＦ（硬質ウレタンフォーム）によって形成されており、メンブレン２ｂとベーパーバリア２ｃとの隙間を埋めている。この保冷材層２ｄは、外層部２ｄ１と、内層部２ｄ２と、充填部２ｄ３（図２等参照）とを備えている。外層部２ｄ１は、保冷材層２ｄのコンクリート壁２ａ側を形成する層であり、同一の厚みの保冷パネルＨ１を隙間なく敷き詰めることにより形成されている。内層部２ｄ２は、保冷材層２ｄのメンブレン２ｂ側を形成する層であり、同一の厚みの保冷パネルＨ２を隙間なく敷き詰めることにより形成されている。充填部２ｄ３は、外層部２ｄ１と、内層部２ｄ２とを敷き詰めたときに生じてしまう隙間に対して充填される部位であり、設置される隙間の形状と一致する形状とされている。このような充填部２ｄ３としては、例えば、後述する三面コーナメンブレンアンカー機構４のベース部４ｂと外層部２ｄ１との間に形成される隙間（図２参照）に充填されるもの（以下、三面コーナ部用充填部２ｄ４と称する）や、後述する二面コーナメンブレンアンカー機構５のベース部５ｂと外層部２ｄ１との間に形成される隙間（図４参照）に充填されるもの（以下、二面コーナ部用充填部２ｄ５と称する）が設置されている。
【００２２】
メンブレン２ｂと保冷材層２ｄとには、各メンブレンパネルの熱変形の中央位置に配置される貫通孔７が設けられている。これらの貫通孔７には、平面メンブレンアンカー機構３のアンカー３ｂ、三面コーナメンブレンアンカー機構４のアンカー４ｅ、あるいは二面コーナメンブレンアンカー機構５のアンカー５ｅが挿入される。
【００２３】
平面メンブレンアンカー機構３は、ベーパーバリア２ｃを介してコンクリート壁２ａの内壁面に設けられる基台３ａと、基台３ａに固定されると共に上記貫通孔７に挿入されるアンカー３ｂと、貫通孔７から露出するアンカー３ｂに固定されると共に平面メンブレンパネルＭ１を容器本体２の内部側からコンクリート壁２ａに向けて押さえる押圧部品３ｃとを備えている。また、平面メンブレンアンカー機構３の基台３ａは、後述する三面コーナメンブレンアンカー機構４の脚部４ａ及び二面コーナメンブレンアンカー機構５の脚部５ａと同様に、コンクリート壁２ａに固定されると共にベーパーバリア２ｃを貫通するスタッドボルトを有している。このスタッドボルトには押圧ナット６が設置されている。この押圧ナット６については、後に説明する。
【００２４】
図２は、三面コーナメンブレンアンカー機構４を含む三面コーナ部２Ａの断面図である。また、図３は、三面コーナメンブレンアンカー機構４の押圧部品３ｃを除き、かつ、保冷材層２ｄを省略して図示した斜視図である。
【００２５】
これらの図に示すように、三面コーナメンブレンアンカー機構４は、三面コーナ部２Ａに設けられており、三面コーナ部２Ａを形成する３つの面の各々に設けられる脚部４ａと、ベース部４ｂと、ナット４ｃと、ジョイント４ｄと、アンカー４ｅと、押圧部品４ｆとを備えている。
【００２６】
脚部４ａは、コンクリート壁２ａの内壁面に対して垂直方向に延在する棒状の部材であり、ベーパーバリア２ｃを介してコンクリート壁２ａに立設されている。この脚部４ａは、コンクリート壁２ａ側の一端部を形成する第１スタッドボルト４ａ１と、ベース部４ｂ側の一端部を形成する第２スタッドボルト４ａ２と、中央部を形成するロングナット４ａ３とから構成されている。このような脚部４ａは、第２スタッドボルト４ａ２を除く長さが、保冷材層２ｄの外層部２ｄ１の厚さと略同一とされている。
【００２７】
第１スタッドボルト４ａ１は、ベーパーバリア２ｃを貫通して一端側がコンクリート壁２ａに埋設されており、他端側がネジ溝を形成されてメンブレン２ｂよりも容器本体２の内部側に突出するように取り付けられており、ベーパーバリア２ｃに対して溶接されている。このような第１スタッドボルト４ａ１は、ネジ溝が形成された一端側がロングナット４ａ３の３端部に螺合されている。第２スタッドボルト４ａ２は、両端側にネジ溝が形成されており、ロングナット４ａ３の第１スタッドボルト４ａ１が螺合される端部と反対側の端部に螺合されると共に、ベース部４ｂの後述する貫通孔４ｂ３を通じてベース部４ｂよりも容器本体２の内部側に突出するように取り付けられている。ロングナット４ａ３は、一端側に第１スタッドボルト４ａ１が螺合され、もう一端側に第２スタッドボルト４ａ２が螺合され、これらの第１スタッドボルト４ａ１と第２スタッドボルト４ａ２とを接続している。
【００２８】
このように、本実施形態において脚部４ａは、両端に設けられるスタッドボルト（第１スタッドボルト４ａ１及び第２スタッドボルト４ａ２）と、これらのスタッドボルトが螺合されるロングナット４ａ３とを有している。
【００２９】
ベース部４ｂは、３本の脚部４ａやアンカー４ｅが取り付けられる部位であり、３本の脚部４ａの第２スタッドボルト４ａ２が近接する位置に設けられている。このベース部４ｂは、ジョイント４ｄを介してアンカー４ｅが設置される中央プレート４ｂ１と、中央プレート４ｂ１の縁部に設けられると共に脚部４ａが連結される３つの脚部連結プレート４ｂ２とを有している。各脚部連結プレート４ｂ２は、三面コーナ部２Ａを形成するコンクリート壁２ａの各面に対向する角度で中央プレート４ｂ１に取り付けられている。これらの脚部連結プレート４ｂ２は、上述の保冷材層２ｄの外層部２ｄ１の内層部２ｄ２側の面に当接する位置に配置されている。また、脚部連結プレート４ｂ２には、貫通孔４ｂ３が設けられている。脚部４ａの第２スタッドボルト４ａ２は、この貫通孔４ｂ３を通過してアンカー４ｅが設置される側に突出されている。
【００３０】
ナット４ｃは、脚部連結プレート４ｂ２の貫通孔４ｂ３からアンカー４ｅ側に突出した第２スタッドボルト４ａ２に螺合されており、ワッシャを介して脚部連結プレート４ｂ２のアンカー４ｅ側の表面に当接されている。各脚部４ａの第２スタッドボルト４ａ２に螺合されたナット４ｃが、異なる方向にベース部４ｂを押さえることによって、ベース部４ｂが固定されている。
【００３１】
ジョイント４ｄは、ベース部４ｂの中央プレート４ｂ１に取り付けられており、アンカー４ｅを回動可能に支持する。このジョイント４ｄは、アンカー４ｅの延在方向と直交する水平方向を軸方向とするボルトと、このボルトに螺合されてボルトと共にアンカー４ｅを回動可能に挟持するナットとを有する構造とされている。このようなジョイント４ｄに支持されることによって、アンカー４ｅが、アンカー４ｅの延在方向と直交する水平方向を中心として回動可能とされている。
【００３２】
アンカー４ｅは、軸方向に長い円筒部材であり、先端部の内壁面に押圧部品４ｆを取り付けるためのネジ溝が形成されている。このアンカー４ｅは、根元部がジョイント４ｄを介してベース部４ｂの中央プレート４ｂ１に取り付けられ、押圧部品４ｆが固定される先端が容器本体２の内側に向けて露出されるように貫通孔７に挿入されている。このアンカー４ｅの長さは、保冷材層２ｄの内層部２ｄ２の厚さと略同一とされている。このようなアンカー４ｅは、ベース部４ｂによって支持されることにより、コンクリート壁２ａから離間された状態で支持されている。
【００３３】
押圧部品４ｆは、円盤状の本体と、本体と一体化された軸部とを備えている。本体は、一方側の面が三面コーナメンブレンパネルＭ２の表面形状に合わせた球面の一部形状とされており、この一方側の面が三面コーナメンブレンパネルＭ２に対して容器本体２の内部側から当接している。軸部は、本体の中央部に設けられており、周面にネジ溝が形成された柱状の部位である。この軸部は、アンカー４ｅに螺合される。この軸部をアンカー４ｅに螺合し、押圧部品４ｆを締め付けることによって、本体が三面コーナメンブレンパネルＭ２をコンクリート壁２ａに向けて押さえつけ、これによって三面コーナメンブレンパネルＭ２をコンクリート壁２ａに対して固定する。なお、押圧部品４ｆの本体の縁部は、溶接によって三面コーナメンブレンパネルＭ２に固定されている。
【００３４】
図４は、二面コーナメンブレンアンカー機構５を含む二面コーナ部２Ｂの断面図である。二面コーナメンブレンアンカー機構５は、三面コーナメンブレンアンカー機構４と近い構成を有している。このため、ここでは、三面コーナメンブレンアンカー機構４との相違点について主として説明する。上述の三面コーナメンブレンアンカー機構４は、３つの面が集まる三面コーナ部２Ａに設置されるため、三面コーナ部２Ａを形成する面に立設される脚部４ａを合計で３つ備えている。これに対して、二面コーナメンブレンアンカー機構５は、２つの面が集まる二面コーナ部２Ｂに設置されるため、脚部５ａを２つのみ有している。
【００３５】
ベース部５ｂは、三面コーナメンブレンアンカー機構４のベース部４ｂに相当する。ただし、二面コーナメンブレンアンカー機構５は、脚部５ａを２つのみ備えることから、ベース部５ｂは、ジョイント５ｄが設置される中央プレート５ｂ１（中央プレート４ｂ１に相当）に対して、脚部連結プレート５ｂ２（脚部連結プレート４ｂ２に相当）が２つのみ設けられている。
【００３６】
ナット５ｃは三面コーナメンブレンアンカー機構４のナット４ｃに相当し、ジョイント５ｄは三面コーナメンブレンアンカー機構４のジョイント４ｄに相当し、アンカー５ｅは三面コーナメンブレンアンカー機構４のアンカー４ｅに相当する。
【００３７】
押圧部品５ｆは、三面コーナメンブレンアンカー機構４の押圧部品４ｆに相当するが、本体の二面コーナメンブレンパネルＭ３側が平面とされている点において押圧部品４ｆと異なる。また、二面コーナメンブレンアンカー機構５は、この押圧部品５ｆと二面コーナメンブレンパネルＭ３との間に設置されるスペーサ８を備えている。
【００３８】
なお、例えば、保冷材層２ｄと平面メンブレンアンカー機構３、三面コーナメンブレンアンカー機構４あるいは二面コーナメンブレンアンカー機構５との間に形成される僅かな隙間等には、発泡性の断熱材が必要に応じて充填されている。また、貫通孔７の形成位置等には、必要に応じてシール性を確保するための不図示のガラスクロス等が設置される。
【００３９】
押圧ナット６は、図２及び図３に示されるように、三面コーナメンブレンアンカー機構４の有する第１スタッドボルト４ａ１に螺合されている。この押圧ナット６は、ベーパーバリア２ｃ（すなわちベーパーバリア２ｃを形成するパネル）を貫通してコンクリート壁２ａに固定された全ての第１スタッドボルト４ａ１に螺合されている。このような押圧ナット６は、パネルを溶接してベーパーバリア２ｃを形成するときを含め、ベーパーバリア２ｃ（すなわちパネル）をコンクリート壁２ａに受けて押圧する。
【００４０】
図５は、押圧ナット６を含む拡大斜視図である。押圧ナット６は、ベーパーバリア２ｃ（すなわちベーパーバリア２ｃを形成するパネル）のコンクリート壁２ａと反対側の面に当接する当接面６ａ（図２参照）を有する鍔状の平板形状とされている。また、押圧ナット６は、螺合される第１スタッドボルト４ａ１の軸方向から見て、円を第１スタッドボルト４ａ１の軸を中心として対向する平行線Ｌ１及び平行線Ｌ２に沿って切り欠いた形状を有する。このような形状を有する押圧ナット６は、レンチによって第１スタッドボルト４ａ１に螺合される。
【００４１】
また、押圧ナット６は、縁部に沿って溶接されることにより、ベーパーバリア２ｃ（すなわちベーパーバリア２ｃを形成するパネル）に接合されている。このような押圧ナット６は、全周に亘って連続的に溶接されており、ベーパーバリア２ｃとの間に隙間が形成されないように取り付けられている。また、押圧ネット６は、第１スタッドボルト４ａ１に対しても溶接されている。
【００４２】
なお、上述した押圧ナット６は、三面コーナメンブレンアンカー機構４の第１スタッドボルト４ａ１のみならず、平面メンブレンアンカー機構３及び二面コーナメンブレンアンカー機構５が有するスタッドボルトであって、ベーパーバリア２ｃ（すなわちベーパーバリア２ｃを形成するパネル）を貫通してコンクリート壁２ａに固定されるものの全てに設けられている。
【００４３】
このような構造を有する本実施形態の低温タンク１のベーパーバリア２ｃを形成するときには、三面コーナメンブレンアンカー機構４の第１スタッドボルト４ａ１を含めたスタッドボルトが固定されたコンクリート壁２ａに対して、スタッドボルトに応じた貫通孔が形成されたパネルＰを取り付け、続いて、図６に示すように、各スタッドボルトに対して押圧ナット６を螺合して各パネルＰをコンクリート壁２ａに向けて押圧する。その後、パネルＰの溶接を行いベーパーバリア２ｃとする。このように、本実施形態の低温タンク１においては、パネルＰを溶接するときに、押圧ナット６によってパネルＰがコンクリート壁２ａに押圧される。
【００４４】
以上のような本実施形態の低温タンク１によれば、ベーパーバリア２ｃを形成するパネルＰを溶接するときに、当該パネルＰが押圧ナット６によって押さえられている。このため、パネルＰの溶接入熱による変形を抑制することができる。したがって、本実施形態の低温タンク１によれば、ベーパーバリア２ｃの歪みを抑制することが可能となる。
【００４５】
また、本実施形態の低温タンク１においては、押圧ナット６が、パネルＰを貫通してコンクリート壁２ａに固定されるスタッドボルトに螺合されると共に、パネルＰのコンクリート壁２ａと反対側の面に当接する当接面６ａを有する平板形状とされている。このため、押圧ナット６のスタッドボルトの軸方向における高さを低く抑えることができ、押圧ナット６が保冷材層２ｄの邪魔となることを防止することができる。
【００４６】
また、本実施形態の低温タンク１においては、押圧ナット６は、螺合されるスタッドボルトの軸方向から見て、円をスタッドボルトの軸を中心として対向する平行線Ｌ１及び平行線Ｌ２に沿って切り欠いた形状を有する。このため、レンチによって押圧ナット６を容易にスタッドボルトに螺合することができる。
【００４７】
また、本実施形態の低温タンク１においては、押圧ナット６は、パネルＰに対して溶接されている。このため、押圧ナット６とベーパーバリア２ｃとの間に隙間が生じることを防止し、容器本体２の気密性を高めることが可能となる。
【００４８】
また、本実施形態の低温タンク１においては、押圧ナット６は、スタッドボルトに対して溶接されている。このため、押圧ナット６とスタッドボルトとの間に隙間が生じることを防止し、容器本体２の気密性を高めることが可能となる。
【００４９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５０】
例えば、上記実施形態においては、押圧ナット６を溶接によりベーパーバリア２ｃを形成するパネルＰに固定する構成について説明した。しかしながら、本発明はこれに限定されるものではなく、接着剤によって押圧ナット６をパネルＰに接合する構成を採用することも可能である。このような場合には、押圧ナット６を溶接するときの入熱による変形を避けることができ、さらに溶接と比較して簡便に押圧ナット６を固定することが可能となる。
【００５１】
また、上記実施形態においては、本発明の押圧部品として押圧ナット６を用いる構成について説明した。しかしながら、本発明はこれに限定されるものではなく、別の形状の部品を押圧部品として用いることも可能である。さらに、このような押圧部品は、必ずしもスタッドボルトに螺合される必要はない。
【符号の説明】
【００５２】
１……低温タンク、２……容器本体、２ａ……コンクリート壁、２Ａ……三面コーナ部、２ｂ……メンブレン、２Ｂ……二面コーナ部、２ｂ１……コルゲーション、２ｃ……ベーパーバリア、２ｄ……保冷材層、２ｄ１……外層部、２ｄ２……内層部、２ｄ３……充填部、２ｄ４……三面コーナ部用充填部、２ｄ５……二面コーナ部用充填部、３……平面メンブレンアンカー機構、３ａ……基台、３ｂ……アンカー、３ｃ……押圧部品、４……三面コーナメンブレンアンカー機構、４ａ……脚部、４ａ１……第１スタッドボルト、４ａ２……第２スタッドボルト、４ａ３……ロングナット、４ｂ……ベース部、４ｂ１……中央プレート、４ｂ２……脚部連結プレート、４ｂ３……貫通孔、４ｃ……ナット、４ｄ……ジョイント、４ｅ……アンカー、４ｆ……押圧部品、５……二面コーナメンブレンアンカー機構、５ａ……脚部、５ｂ……ベース部、５ｂ１……中央プレート、５ｂ２……脚部連結プレート、５ｃ……ナット、５ｄ……ジョイント、５ｅ……アンカー、５ｆ……押圧部品、６……押圧ナット、６ａ……当接面、７……貫通孔、８……スペーサ、Ｈ１……保冷パネル、Ｈ２……保冷パネル、Ｌ１……平行線、Ｌ２……平行線、Ｍ１……平面メンブレンパネル、Ｍ２……三面コーナメンブレンパネル、Ｍ３……二面コーナメンブレンパネル、Ｐ……パネル
【図１】
2015098903.tif 000003
【図２】
2015098903.tif 000004
【図３】
2015098903.tif 000005
【図４】
2015098903.tif 000006
【図５】
2015098903.tif 000007
【図６】
2015098903.tif 000008